【手続補正書】
【提出日】平成19年1月26日(2007.1.26)
【手続補正１】
【補正対象書類名】明細書
【補正対象項目名】特許請求の範囲
【補正方法】変更
【補正の内容】
【特許請求の範囲】
【請求項１】  プロバイダー情報を含んでいる印刷媒体から通知を開始することにより、回路網を経てマルチメディア情報を通信するシステムにおいて、
そのシステムが、
回路網と、
プロバイダー情報に対応するリンク情報を含むデータを印刷媒体から受信するためのスキャナーとを含んでおり、そのスキャナーが
メモリーと、
メモリーに記憶可能であるユーザー入力情報を受信するためのユーザーインターフェースと、
回路網に連絡している通信ブリッジと、
スキャナーに連絡しており、回路網を経てリンク情報及びユーザー入力情報を受信し、通信可能であり、かつマルチメディア情報シーケンスを受信し、プレー可能であるレシーバーと、
回路網を経て、スキャナー及びレシーバーに連絡しており、リンク情報及びユーザー入力情報を受信し、リンク情報及びユーザー入力情報に対応するマルチメディア情報シーケンスを選択して、そのマルチメディア情報シーケンスを回路網を経てレシーバーに送信可能である入り口サーバーとを含んでいる
ことを特徴とするシステム。
【請求項２】  データが機械読取り可能コードである請求項１に記載のシステム。
【請求項３】  機械読取り可能コードが、バーコード、インハンスドバーコード、ニューインハンスドコード、ダイナミックコード及び／又は高密度バーコードの中の選択されたコードである請求項２に記載のシステム。
【請求項４】  機械読取り可能コードが、更に刊行物情報を含む請求項２に記載のシステム。
【請求項５】  機械読取り可能コードが更に、個人機密情報を含む請求項２に記載のシステム。
【請求項６】  機械読取り可能コードが更に、プロバイダー機密情報を含む請求項２に記載のシステム。
【請求項７】  少なくとも１つの機械読取り可能コードが、コードファイルに記憶されている請求項２に記載のシステム。
【請求項８】  コードファイルがスキャナーメモリーに記憶されている請求項７に記載のシステム。
【請求項９】  リンク情報が、ユニバーサル・リソース・ロケータ、インターネットアドレス情報、商標情報、原産地、組織名、製品名、役務名、利益償還の情報、プロバイダー規定の情報、ユーザー個人プロフィールの情報、ユーザーの利権の情報、サーバーコマンドの情報、顧客の宅内機器選択の情報、機械読取り可能コードの形に印刷された英数字シーケンスの中の選択された情報である請求項１に記載のシステム。
【請求項１０】  英数字シーケンスが、プロバイダー情報のプロバイダーによって割当てられる請求項９に記載のシステム。
【請求項１１】  プロバイダー情報が、英数字シーケンスから抽出され、そしてポータルサーバーにおいて回路網アドレスに変えられる請求項１０に記載のシステム。
【請求項１２】  プロバイダー情報が、英数字シーケンスから抽出され、システムが更に、英数字シーケンスを回路網アドレスに変えることができるリンクテーブルを含む請求項１０に記載のシステム。
【請求項１３】  英数字シーケンスが、ＵＰＣ及びＩＳＢＮナンバーの中の１つである請求項１０に記載のシステム。
【請求項１４】  更に複数のリンク情報を含む請求項１に記載のシステム。
【請求項１５】  スキャナーとレシーバーが、１つのユニットに結合されている請求項１に記載のシステム。
【請求項１６】  スキャナーが更に、ユーザーインターフェースを経てユーザーリクエストに応答してリンク情報及びユーザー入力情報を回路網に伝達可能である請求項１に記載のシステム。
【請求項１７】  通信ブリッジが、リンク情報及びユーザー入力情報をレシーバーに送信可能である請求項１に記載のシステム。
【請求項１８】  通信ブリッジが、リンク情報及びユーザー入力情報をポータルサーバーに送信可能である請求項１に記載のシステム。
【請求項１９】  スキャナーが、手持ち装置である請求項１に記載のシステム。
【請求項２０】  その手持ち装置が、ワイヤレスである請求項１９に記載のシステム。
【請求項２１】  ポータルサーバーが回路網を経て回路網ユーザーにアクセス可能である請求項１に記載のシステム。
【請求項２２】  ポータルサーバーが、もっぱら、情報プロバイダーによってアクセス可能である請求項１に記載のシステム。
【請求項２３】  ユーザー入力情報が、ユーザー個人プロフィール情報を含む請求項１に記載のシステム。
【請求項２４】  ユーザー入力情報が、ユーザーインタレスト情報を含む請求項１に記載のシステム。
【請求項２５】  スキャナーが、複数のデータを記憶可能である請求項１に記載のシステム。
【請求項２６】  ユーザー入力情報が、広告の機関、トランザクションの機関及びユーザー個人プロフィールの情報を含むグループから選択される請求項１に記載のシステム。
【請求項２７】  スキャナーが、リモートコントロール、マウス、携帯電話、パーソナルデジタルアシスタント、又はパーソナルコンピュータである請求項１に記載のシステム。
【請求項２８】  ユーザーインターフェースが、音声作動システム、キーパッド、又はキーボードである請求項１に記載のシステム。
【請求項２９】  通信ブリッジが、赤外線通信システム、モービルラジオ通信システム、又は１Ｐベースの通信システムである請求項１に記載のシステム。
【請求項３０】  回路網が、インターネット、イントラネット、あるいはエキストラネットである請求項１に記載のシステム。
【請求項３１】  スキャナーが、増大した現存の電子装置、テレビリモートコントロール、マウス、携帯電話、ＰＣカード装置、パルムトップ（ｐａｌｍｔｏｐ）、計算機、キーチェーン、ペン、身分証明書、スマートカード、手持ちＧＰＳ装置、デスクトップ又はラップトップコンピュータ、デジタル器具、又はマイクロプロセッサーベースの装置である請求項１に記載のシステム。
【請求項３２】  ポータルサーバーが更に、ユーザー情報に対応するリンク情報を追跡することができる追跡モジュールを含む請求項１に記載のシステム。
【請求項３３】  ポータブルサーバーが更に、情報プロバイダーに代金を請求する料金パーセンテージを追跡可能である追跡モジュールを含む請求項１に記載のシステム。
【請求項３４】  料金が、選択したマルチメディア情報シーケンス、特定の情報プロバイダーに対応するポータルサーバーによって受信したリンク情報の数及び周波数、選択したマルチメディア情報シーケンスが、トランザクションを発生するときは、トランザクション値の少なくとも１つに基づいている請求項３３に記載のシステム。
【請求項３５】  マルチメディア情報シーケンスが、宣伝又はトランザクション情報である請求項１に記載のシステム。
【請求項３６】  ユーザー入力情報が、更にユーザー個人プロフィール情報を含む請求項１に記載のシステム。
【請求項３７】  ポータルサーバーが更に、選択したマルチメディア情報シーケンス及びユーザー個人プロフィール情報に基づいて、情報プロバイダーに料金を請求する料金パーセンテージを追跡可能である請求項３６に記載のシステム。
【請求項３８】  ユーザー入力情報が、ユーザーインタレスト情報であり、そしてポータルサーバーが更に、ユーザー個人プロフィール情報のユーザー規定オークションの基準により、ユーザーインタレスト情報を情報プロバイダーにオークション可能である請求項３６に記載のシステム。
【請求項３９】  ユーザー個人プロフィール情報が、ポータルサーバーに記憶されている請求項３８に記載のシステム。
【請求項４０】  ユーザー入力情報が更に、ユーザーインタレスト情報の少なくとも１つを含む請求項１に記載のシステム。
【請求項４１】  ポータルサーバーが更に、選択したマルチメディア情報シーケンス及びユーザーインタレスト情報に基づき、情報プロバイダーに料金を請求する料金パーセンテージを追跡可能である請求項４０に記載のシステム。
【請求項４２】  スキャナー及び顧客の宅内機器が、１つの装置に一体化されている請求項１に記載のシステム。
【請求項４３】  カスタマー・プレミセス・イクイップメントが、テレビジョン、セット・トップ・ボックス（ｓｅｔ  ｔｏｐ  ｂｏｘ）、コンピュータ、携帯電話、リモートコントロール、パーソナルデジタルアシスタント、一体化したＰＣ−ＴＶ装置か、又はポケベルである請求項１に記載の装置。
【請求項４４】  マルチメディアシーケンス情報が、１又はそれ以上の文字、音声、又はビデオ情報である請求項１に記載のシステム。
【請求項４５】  更に通信ブリッジに連絡しているレシーバーを含む請求項１に記載のシステム。
【請求項４６】  機械読取り可能コードが、ダイナミックに変化する請求項１に記載のシステム。
【請求項４７】  更に、スキャナー、レシーバー又はポータルサーバーのいづれかに配置された追跡モジュールを含む請求項１に記載のシステム。
【請求項４８】  追跡モジュールが、リンク情報及びユーザー入力情報追跡を含む請求項４７に記載のシステム。
【請求項４９】  追跡モジュールが、ユーザー個人プロフィール情報により、システムのユーザー及びポータルサーバーのマネージャーに払い戻す料金パーセンテージ追跡を含む請求項４７に記載のシステム。
【請求項５０】  ポータルサーバーが更に、走査により発生するトランザクションに関係なく、マルチメディアシーケンス情報の継続時間及び頻度を制御するため、及び情報プロバイダーにマルチメディアシーケンス情報提供料金を請求するためのプロバイダーマネジメントモジュールを含む請求項１に記載のシステム。
【請求項５１】  スキャナーが、ユーザー入力情報で送信される走査関連情報を同期するためのクロックを保持している請求項１に記載のシステム。
【請求項５２】  スキャナー、レシーバー又はポータルサーバーのいづれかが、マルチメディアシーケンス情報を制御し、
レシーバーにおけるシーケンスの一部として表示されたマルチメディア情報の継続時間及び周波数を追跡し、その場合にそのシーケンスは部分的に回路網を経て情報プロバイダーによって提供される、
情報プロバイダーに、シーケンスの一部として提供されたマルチメディア情報を表示する料金を請求し、
レシーバー所有者に払い戻される料金パーセンテージを追跡することができるプロバイダー・マネージメント・モジュールを保持している請求項１に記載のシステム。
【請求項５３】  スキャナーの対話のボタンにより、いつでもユーザーによってマルチメディアシーケンス情報に選択的にアクセスするための相互作用特徴を更に含んでいる請求項１に記載のシステム。
【請求項５４】  その対話の技術特徴が、ユーザーと情報プロバイダーとの間のトランザクションを維持するため、情報プロバイダーによって提供されたシーケンスの一部としてアプリケーションをアクセスすることができる請求項５３に記載のシステム。
【請求項５５】  ポータルサーバーが、トランザクションを制御可能である請求項５４に記載のシステム。
【請求項５６】  ポータルサーバーが更に、ユーザーと情報プロバイダーとの間の多くのトランザクション及びユーザーと情報プロバイダーとの間の多くの相互作用を制御可能である請求項５５に記載のシステム。
【請求項５７】  ポータルサーバーが更に、情報プロバイダーに、制御したトランザクション数又は制御した相互作用数のいづれかを維持する料金を請求可能である請求項５６に記載のシステム。
【請求項５８】  管理のワークステーションが更に、スキャナーの所有者に払い戻される料金パーセンテージを追跡可能である請求項５７に記載のシステム。
【請求項５９】  トランザクションがカタログショッピング又は購入のいづれかである請求項５８に記載のシステム。
【請求項６０】  リンク情報が、回路網アドレス情報を含む請求項１に記載のシステム。
【請求項６１】  回路網アドレス情報が、実施可能なコードを含むファイルを示している請求項６０に記載のシステム。
【請求項６２】  任意の１又はそれ以上のスキャナー、レシーバー、又はポータルサーバーが、少なくとも１つのリンクテーブルを含んでいる請求項１に記載のシステム。
【請求項６３】  任意の１又はそれ以上のスキャナー、レシーバー、又はポータルサーバーが、追加の情報又は、ダウンロード実行可能のコード、及びシステムを使用している人の相互作用応答でコードを補足できるインテリジェンスを含む請求項１に記載のシステム。
【請求項６４】  追加の情報が、個人の識別情報、氏名、アドレス、クレジットカード情報及び関連情報を含む請求項６３に記載のシステム。
【請求項６５】  コードが、個人情報及びプロバイダーによって印刷された再注文情報を含むことが可能であり、それによって、再注文又は他のトランザクションが続けられる前に、個人情報が、ユーザー個人プロフィール情報に対し、有効化される請求項１に記載のシステム。
【請求項６６】  コードが、情報ページに結合可能な情報オンリータイプである請求項１に記載のシステム。
【請求項６７】  コードが、ユニバーサル製品コードである請求項６６に記載のシステム。
【請求項６８】  ユーザは、スマートボタンを活性化させることができる近接ベースの装置のユーザか、又は接触ベースの装置のユーザのうちいずれかとする請求項６６に記載のシステム。
【請求項６９】  コードが、クッキー（ｃｏｏｋｉｅ）の情報、ユーザー入力情報からの個人の相互作用応答、個人の場所又は他の人口統計的な情報及びポータルサーバー・データーベース情報と組合わせた任意の走査情報に基づいて送信される請求項１に記載のシステム。
【請求項７０】  コードが再注文コードであり、それによって、製品の再注文が、コードを走査し、それを再注文コードとして認め、そして再注文のための料金パーセンテージが追跡モジュールによって維持されるように、ポータルサーバーを経てトランザクションを維持することによって、作動される請求項６９に記載のシステム。
【請求項７１】  その追跡が、トランザクションを始める人との料金分担を保持する請求項７０に記載のシステム。
【請求項７２】  コードタイプが、電話番号、ビジネスカード、サービス情報、利益償還の情報、リベート、クーポン、文献あるいは、個人又は情報プロバイダーのための一般的情報カテゴリーを含む請求項１に記載のシステム。
【請求項７３】  コードが、スキャナー、レシーバーのいずれかにアップロードされるかあるいは、ポータルサーバーが、一度又は交互に、局部的に又は回路網のどこからのクッキー及び機密情報と共に送られる請求項１に記載のシステム。
【請求項７４】  料金追跡モジュールが、前記走査によって開始されたｅ−コマーストランザクションに関連する料金を追跡する請求項７３に記載のシステム。
【請求項７５】  集められたコードの処理が、印刷媒体を読取り、走査するのと異なる時間に行うことができる請求項１に記載のシステム。
【請求項７６】  コードがＵＰＣコードであり、それによってユーザーが、いかなる追加のコードもなく、リンクテーブルを経てプロバイダーに向けられる請求項１に記載のシステム。
【請求項７７】  １又はそれ以上のスキャナー、レシーバー又はポータルサーバーが、相互作用のためのコードテンプレート、トランザクション情報、認可情報、発行者への参考、メディアオリジネータ、宣伝の配置、発行日、ディーラー、転売人又は卸売業者を保持している請求項１に記載のシステム。
【請求項７８】  １又はそれ以上のスキャナー、レシーバー又はポータルサーバーが、プロバイダー情報走査に使用されるコードタイプをベースにして走査情報を収集し、かつユーザー個人プロフィール情報、リンク情報及びユーザー入力情報に関する人口統計情報を収集する統計モジュールと協働する追跡モジュールを保持する請求項１に記載のシステム。
【請求項７９】  追跡モジュールが、印刷情報の内容に基づき相異なる情報プロバイダーによるコードの使用の追跡、再指向、及び標的設定することができる請求項７８に記載のシステム。
【請求項８０】  個人又はシステムが、走査事実を公表するように選択できる、それによって、競争者は、競争者の競合する製品又はユーザーインタレスト情報に基づくトランザクションについてのより以上の情報を、権利のプレイのためその個人に提供できる請求項７９に記載のシステム。
【請求項８１】  有形のフォーマットをもつコードを有する物理的に公表された製品に対応する少なくとも１つのデジタル著作権データーベースに連絡しており、それにより、走査が、ポータルサーバーを経て著作権データーベースに公表した製品をコピーしたい人に向けられ、そしてポータルサーバーが、コピーに基づく料金を追跡し、そして話題的に関係する公表製品を示唆できる請求項１に記載のシステム。
【請求項８２】  ポータルサーバーが、コード処理のための回路網に接続したゼログラフィ装置をモニターし、そしてそれが、著作権のある資料データベースへのアクセスを作動する請求項８１に記載のシステム。
【請求項８３】  そのコードが、識別、分配、及び物理的に公表された製品についての料金に関する情報を伝えることができるインテリジェントの水位標（ｉｎｔｅｌｌｉｇｅｎｔ  ｗａｔｅｒｍａｒｋ）である請求項８２に記載のシステム。
【請求項８４】  任意の１つ以上のスキャナー、レシーバー、ポータルサーバー又はプロバイダーが、情報プロバイダー又は印刷媒体の所有および発行者により走査した印刷媒体の刻印を追跡し、かつユーザー個人プロフィール情報により人口統計的な情報を収集可能にする請求項１に記載のシステム。
【請求項８５】  追跡特徴が、特殊刊行物、プロバイダー又は特殊形式の刊行物から生ずるｅ−コマーストランザクションのパーセンテージを追跡する請求項８４に記載のシステム。
【請求項８６】  追跡特徴が、印刷物の数に基づく印刷媒体の発行人に払い戻す料金のパーセンテージを追跡する請求項１に記載のシステム。
【請求項８７】  レシーバーが、顧客の宅内機器、コンピュータ、シンプルバッファー又は直接リンク、テレビジョン、セット・トップ・ボックス、ＰＣ−ＴＶ装置、ＶＣＲ、ＤＶＤプレーヤー、器具又は任意の他の電子装置である請求項１に記載のシステム。
【請求項８８】  ポータルサーバーが、コード処理を行う１又は多数の場所を含む請求項１に記載のシステム。
【請求項８９】  ポータルサーバーが、セントラルマネージメント、割当及びコード、コードタイプとプロバイダー情報の制御を可能にする請求項１に記載のシステム。
【請求項９０】  ポータルサーバーが、ポータルサーバーの広告主、印刷媒体所有者及び情報プロバイダーに、印刷及び電子トランザクションのためのリンクの単一共通データベースを所有可能にする請求項１に記載のシステム。
【請求項９１】  ポータルサーバーが、ポータルサーバーを経て回路網上に生ずる宣伝又はトランザクションに基づく追跡料金請求のための料金追跡モジュールを保持している請求項１に記載のシステム。
【請求項９２】  ポータルサーバーが、ユーザー個人プロフィール情報に基づいて、プロバイダーから発生するが、走査に関係なく生ずる宣伝及びトランザクションを追跡し維持するためのプロバイダー・マネージメント・モジュール及び統計モジュールを維持する請求項１に記載のシステム。
【請求項９３】  広告主が、ユーザー個人プロフィール情報又は一般的ポータル構成によって、ポータルサーバーユーザーにプロバイダー情報を送ることができる請求項９２に記載のシステム。
【請求項９４】  プロバイダーマネージメントモジュールが、プロバイダー印刷情報の有効性に関して情報プロバイダーにフィードバックを提供可能であり、そしてフレキシブル実時間チューニングを考慮に入れている請求項９３に記載のシステム。
【請求項９５】  ポータルサーバーが、ユーザー個人プロフィール情報マネージメント機能を提供し、かつユーザー個人プロフィール及びユーザーインタレスト情報に基づくオークション指向の情報を公表するためインディグラフィックス（ｉｎｄｉｇｒａｐｈｉｃｓ）モジュールを維持している請求項１に記載のシステム。
【請求項９６】  インディグラフィックスのモジュールが、ユーザー利権の情報により利権を走査又は、表現する入札のユーザーに対応するユーザー個人プロフィール情報を収集する追跡モジュールと協働し、それによって追跡モジュールが、発行したオークションの情報により入札ユーザーにより提出された入札を追跡し、そしてオークション情報の発行人及び入札を印刷し、発行し又は作成した媒体発行人に払い戻す料金のパーセンテージを追跡する請求項９５に記載のシステム。
【請求項９７】  ポータルサーバーが、情報プロバイダーを電子的にセットし、そしてコードを維持可能にするコード・マネージメント・モジュールと、対応するリンク情報とを維持する請求項１に記載のシステム。
【請求項９８】  コード・マネージメント・モジュールが、媒体プロバイダーによりそれら自身のコードを作り出し、印刷可能にし、かつポータルサーバによりコード情報を分配可能である請求項９７に記載のシステム。
【請求項９９】  １つ又はそれ以上のスキャナー、レシーバ及びポータルサーバーが、ポータルにおけるリンク又はリンクテーブルを動的に変化し、かつコードの新バージョン又は新セットのテンプレート又は新リンクのダウンロードを行う能力を維持している請求項１に記載のシステム。
【請求項１００】  機械読取り可能コードが、ユニバーサル製品コードか又はＩＳＢＮコードである請求項１に記載のシステム。
【請求項１０１】  ポータルサーバーが、任意の１又はそれ以上の製造者名、卸売業者名又は製品名を含むリンク情報に基づき、かつプロバイダーにアクセス可能であるプロバイダー優先リンクに基づき、マルチメディアシーケンス情報を選択可能である請求項１００に記載のシステム。
【請求項１０２】  通信が印刷媒体を経て作動する、スキャナー、ポータルサーバー、及びカスタマー・プレミセス・イクイップメントを接続している回路網を経てマルチメディア情報を通信する方法を通信する方法において、
スキャナーを用いて、印刷媒体からのプロバイダー情報に対応するリンク情報を含む機械読取り可能コードを走査するステップと；
メモリー内に機械読取り可能コードを記憶するステップと；
メモリー内の機械読取り可能コードからリンク情報を抽出するステップと；
メモリー内のプロバイダー情報に対応するユーザー入力情報を得て、記憶するステップと；
リンク情報及びユーザー入力情報を、回路網を経てポータルサーバーに送信するステップと；
ポータルサーバーで、リンク情報及びユーザー入力情報を受信するステップと；
リンク情報及びユーザー入力情報に対応するマルチメディア情報シーケンスを選択するステップと；
マルチメディア情報シーケンスを回路網を経てレシーバーに送信するステップと；
レシーバーでマルチメディア情報シーケンスを受信し、記憶するステップと；
レシーバーを経てマルチメディア情報シーケンスをプレーするステップと；
を含むことを特徴とする方法。
【請求項１０３】  ステップｅ）が、ユーザーインターフェースを経てユーザーリクエストにより行われる請求項１０２に記載の方法。
【請求項１０４】  通信が、印刷媒体を経て作動される、回路網を経てマルチメディア情報を通信するシステムにおいて、そのシステムが印刷媒体上に描かれたプロバイダー情報に対応するリンク情報を含む機械読取り可能コードのためのスキャナーを含んでおり、そのスキャナーが回路網に維持されていて、そのスキャナーが、
メモリーと；
メモリー内に記憶可能であり、かつプロバイダー情報に対応しているユーザー入力情報を得るためのユーザーインターフェースと；
回路網を経てリンク情報及びユーザー入力情報を送信するための通信ブリッジと；
回路を経てスキャナーに連絡しており、かつリンク情報及びユーザー入力情報を受信し、リンク情報に対応するマルチメディア情報シーケンスを選択し、そして回路網を経てマルチメディア情報を送信できるポータルサーバーと；
ポータルサーバーに連絡しており、かつマルチメディア情報シーケンスを受信し、そしてマルチメディア情報シーケンスをプレーできる顧客の宅内機器と
を含むことを特徴とするシステム。
【請求項１０５】  通信が印刷媒体を経て作動される、回路網を経てマルチメディア情報を通信するシステムにおいて、
回路網に接続可能であり、かつ印刷媒体に描かれたプロバイダー情報に対応するリンク情報を含む機械読取り可能コードのためのスキャナー及び記憶装置を含むユーザー装置と；
記憶装置に記憶可能であり、かつプロバイダー情報に対応するユーザー入力情報を得るためのユーザーインターフェースと；
回路網を経てリンク情報及びユーザー入力情報を送信するための通信ブリッジと；
マルチメディア情報シーケンスを受信し、そしてマルチメディア情報シーケンスをプレーするための表示装置と；
回路網を経てユーザー装置に連絡しており、かつ、リンク情報及びユーザー入力情報を受信し、リンク情報及びユーザー入力情報に対応するマルチメディア情報シーケンスを選択し、そして回路網を経てマルチメディア情報シーケンスを送信可能であるポータルサーバーと
を含むことを特徴とするシステム。
【請求項１０６】  通信が実体的媒体を経て作動される、回路網を経てマルチメディア情報を通信するシステムにおいて、システムが、
回路網に接続可能なユーザー装置を含み、そのユーザー装置が、
印刷媒体上に描かれたプロバイダー情報に対応するリンク情報を含む機械読取り可能コードのためのトランスジューサー及び記憶装置と、
記憶装置内に記憶可能であり、かつプロバイダー情報に対応するユーザー入力情報を得るためのユーザーインターフェースと；
回路網を経てリンク情報及びユーザー入力情報を送信するための通信ブリッジと；
マルチメディア情報シーケンスを受信し、そしてマルチメディア情報シーケンスをプレーするための表示装置と；
回路網を経てユーザー装置に連絡しており、かつリンク情報及びユーザー入力情報を受信し、リンク情報及びユーザー入力情報に対応するマルチメディア情報シーケンスを選択し、そして回路網を経てマルチメディア情報シーケンスを送信可能であるポータルサーバーと
を含むことを特徴とするシステム。